(57)【要約】【課題】  部品点数を減らすとともに、操作性を向上させることができるカメラを提供する。【解決手段】  被写体を観察するためのファインダと、撮影に関する設定を行うために操作される第１の操作部材と、撮影者によるファインダを通した被写体観察が行われているか否かを検出する検出手段（１１０）と、検出手段の検出結果に応じて、第１の操作部材による設定対象を切り換える制御手段（１０１）とを有する。【選択図】  図２
2005173382.tif 000002
【特許請求の範囲】
【請求項１】
被写体を観察するためのファインダと、
撮影に関する設定を行うために操作される第１の操作部材と、
撮影者による前記ファインダを通した被写体観察が行われているか否かを検出する検出手段と、
前記検出手段の検出結果に応じて、前記第１の操作部材による設定対象を切り換える制御手段とを有することを特徴とするカメラ。
【請求項２】
前記制御手段は、前記検出手段により前記被写体観察が行われていないことが検出されたときは前記設定対象を撮影モードとし、前記被写体観察が行われていることが検出されたときは前記設定対象を露出制御値とすることを特徴とする請求項１に記載のカメラ。
【請求項３】
前記制御手段は、前記検出手段により前記被写体観察が行われていないことが検出されたときは前記設定対象を撮影モードとし、前記被写体観察が行われていることが検出されたときは前記設定対象を絞り値およびシャッタ速度のうちいずれか一方とすることを特徴とする請求項１に記載のカメラ。
【請求項４】
前記制御手段は、設定されている撮影モードに応じて、前記被写体観察が行われていることが検出されたときの前記第１の操作部材による設定対象を切り換えることを特徴とする請求項１から３のいずれか１つに記載のカメラ。
【請求項５】
前記検出手段は、発光部と、該発光部から発せられた光のうち前記ファインダの接眼部に近接した物体で反射した光を受ける受光部とを有することを特徴とする請求項１から４のいずれか１つに記載のカメラ。
【請求項６】
該カメラのグリップ部において、被写体側から順に、撮影動作を行わせるために操作されるレリーズ部材と、前記第１の操作部材とが配置されていることを特徴とする請求項１から５のいずか１つに記載のカメラ。
【請求項７】
前記第１の操作部材とは異なる設定対象の設定を行うために操作される第２の操作部材を有し、
前記グリップ部において、被写体側から順に、前記レリーズ部材と、前記第２の操作部材と、前記第１の操作部材とが配置されていることを特徴とする請求項６に記載のカメラ。
【発明の詳細な説明】
【技術分野】
【０００１】
本発明は、撮影モードや露出情報等の撮影に関する設定を行うために操作される操作部材を備えたカメラに関するものである。
【背景技術】
【０００２】
従来、多彩な撮影モードや各種露出情報値の設定等にボタンやダイヤルを用いたカメラが数多く知られている。
【０００３】
例えば、グリップ上方にレリーズボタンと、その近傍に第一のダイヤル、またカメラ上面のペンタプリズムをはさんでグリップ側に液晶表示素子、グリップ反対側にボタン、さらにカメラ本体背面側に第二のダイヤルを配置したカメラがある（特許文献１参照）。
【０００４】
このカメラで撮影モードを選択する場合には、液晶表示素子を見てボタンを押しながら第一のダイヤルを回転させてマニュアルモードやプログラムＡＥモードやシャッタ優先ＡＥモードや絞り優先ＡＥモード等の中から所望のモードを選択する。
【０００５】
次に、第一のダイヤルを回転させて各種撮影モードの設定値を決定後、第二のダイヤルを回転させることで、露出補正量を設定する。例えば、マニュアルモードの設定時は、第一のダイヤルでシャッタ秒時を設定し、さらに第二のダイヤルで絞り値を設定する。また、その逆も可能である。
【０００６】
次に、プログラムＡＥモードの設定時は、第一のダイヤルでプログラムシフト（同じ露出のままシャッタ速度と絞り値の組み合わせを変更）が設定でき、さらに第二のダイヤルで露出補正値を設定する。次に、シャッタ優先ＡＥモードの設定時は、第一のダイヤルで必要なシャッタ秒時を設定し、さらに第二のダイヤルで露出補正値を設定する。次に、絞り優先ＡＥモードの設定時は、第一のダイヤルで必要な絞り値を設定し、さらに第二のダイヤルで露出補正値を設定する。
【０００７】
一方、グリップ上方にレリーズボタンと、その近傍に第一のダイヤル、またカメラ上面のペンタプリズムをはさんでグリップ側に液晶表示素子、グリップ反対側に撮影モードマークが印刷された撮影モードダイヤルを、カメラ背面上方にボタンを配置したカメラがある（特許文献２参照）。
【０００８】
このカメラにおいて、撮影モードを選択する場合には、撮影モードマークが印刷された撮影モードダイヤルを、撮影モードマークを直接見ながら回転させて選択ができる。そして、第一のダイヤルの設定は上記と同じであるが、上述した第二のダイヤルでの設定と同じ設定を行う場合には、カメラ背面上方のボタンを押しながら第一のダイヤルを回して設定を行う。
【０００９】
さらに、特許文献２でのカメラと同様に、グリップ上方にレリーズボタンと、その近傍に第一のダイヤル、またカメラ上面のペンタプリズムをはさんでグリップ側に液晶表示素子、グリップ反対側に撮影モードマークが印刷された撮影モードダイヤルを配置し、さらに特許文献１でのカメラと同様に、カメラ本体背面側に第二のダイヤルを配置したカメラがある（特許文献３参照）。
【００１０】
このカメラにおいて撮影モードを選択する場合には、撮影モードマークが印刷された撮影モードダイヤルを、撮影モードマークを直接見ながら回転させることで撮影モードの選択ができ、第一および第二のダイヤルで上述した特許文献１での設定と同様な設定が可能である。
【特許文献１】特開平２−２１０４２３号公報（第１図、第２図等）
【特許文献２】特開平３−２３０１３８号公報（第１図等）
【特許文献３】特開平６−７５２８２号公報（段落番号００１２、００１３、第１図、第２図）
【発明の開示】
【発明が解決しようとする課題】
【００１１】
一般に、一眼レフレックスカメラの撮影基本姿勢は、左手で交換レンズを支え、右手人差し指をレリーズボタン上に置き、カメラ本体背面側においた右手親指と右手の他の指でカメラのグリップ部をホールドする。
【００１２】
しかしながら、撮影モードを設定する場合において、上述した特許文献１のカメラでは、交換レンズを支えていた左手を交換レンズから放して、左手でボタンを押しながら右手人差し指で第一のダイヤルを操作する必要がある。また、上述した特許文献２、３のカメラにおいても、交換レンズを支えていた左手を交換レンズから放して、左手で撮影モードダイヤルを操作するか、あるいは右手をグリップ部から放して右手で撮影モードダイヤルを操作する必要がある。
【００１３】
左手を交換レンズから放して操作すると、重量の重い交換レンズを装着している場合は特に、被写体に向けてカメラを構えていた状態を維持することは困難であり、右手をグリップ部から放した場合にも、次の撮影操作にすばやく移行することが困難である。
【００１４】
また、特許文献２でのカメラのようにボタンを押しながら第一のダイヤルを回転操作することで露出補正を変更する方式では、右手人差し指をレリーズボタンから放して第一のダイヤルを操作するため、次のレリーズ動作にすばやく移行することが困難である。
【００１５】
特に露出補正操作にかんしては、撮影ごとに露出量を変更（上下に振りたい）ことがある。特許文献２でのカメラのように撮影ごとにレリーズボタンから右手人差し指を放して第一のダイヤルを操作していては、操作が忙しくシャッタチャンスを逃してしまう可能性がある。
【００１６】
また、特許文献３でのカメラのように撮影モードダイヤルと第一のダイヤル、第二のダイヤルの３個のダイヤルを、カメラ本体にレイアウトするにはスペースを必要とするためカメラが大型化しやすく、コストアップにもつながる。
【課題を解決するための手段】
【００１７】
本発明のカメラは、被写体を観察するためのファインダと、撮影に関する設定を行うために操作される第１の操作部材と、撮影者によるファインダを通した被写体観察が行われているか否かを検出する検出手段と、検出手段の検出結果に応じて、第１の操作部材による設定対象を切り換える制御手段とを有することを特徴とする。
【００１８】
例えば、検出手段により被写体観察が行われていないことが検出されたときは設定対象を撮影モードとし、被写体観察が行われていることが検出されたときは設定対象を露出制御値とすることができる。また、検出手段により被写体観察が行われていないことが検出されたときは設定対象を撮影モードとし、被写体観察が行われていることが検出されたときは設定対象を絞り値およびシャッタ速度のうちいずれか一方とすることができる。
【発明の効果】
【００１９】
本発明によれば、撮影者によるファインダを通した被写体観察が行われているか否かに応じて第１の操作部材による設定対象を変更するため、設定対象毎に操作部材をカメラに設ける必要がなくなり、部品点数の削減によってカメラの小型化および低コスト化を図ることができる。
【００２０】
設定されている撮影モードに応じて、被写体観察が行われていることが検出されたときの第１の操作部材による設定対象を切り換えることで、設定された撮影モードに応じた設定内容の変更を行うことができる。すなわち、各撮影モードに対応した設定を行うための操作部材を設ける必要がなくなる。
【００２１】
検出手段を、発光部と、該発光部から発せられた光のうちファインダの接眼部に近接した物体で反射した光を受ける受光部とで構成することで、簡単な構成で撮影者による被写体観察が行われているか否かを検出することができる。
【００２２】
カメラのグリップ部において、被写体側から順に、撮影動作を行わせるために操作されるレリーズ部材と、第１の操作部材とを配置することにより、グリップ部を保持したまま、このグリップ部を保持した手でレリーズ部材や第１の操作部材を操作することができ、カメラの使い勝手を向上させることができる。しかも、これらの部材を被写体側から順に配置しているため、異なる指を使って操作することが可能となる。
【００２３】
また、第１の操作部材とは異なる設定対象の設定を行うために操作される第２の操作部材を設け、グリップ部において、被写体側から順に、レリーズ部材と、第２の操作部材と、第１の操作部材とを配置することで、グリップ部を保持したまま、このグリップ部を保持した手でレリーズ部材や第１および第２の操作部材を操作することができ、カメラらの使い勝手を向上させることができる。
【発明を実施するための最良の形態】
【００２４】
以下、本発明の実施例について説明する。
【実施例１】
【００２５】
図１から図７を用いて本発明の実施例１であるカメラについて説明する。図１は、背面側から見たときのカメラの外観斜視図である。
【００２６】
図１において、１はカメラ本体であり、この内部には、後述する部材の他にも撮影を可能とするための各種の部材が配置されている。このカメラ本体１には、撮影レンズを有する交換レンズが着脱可能に装着される。そして、カメラ本体１に交換レンズが装着されたときには、これらの間においてデータの通信を行うことが可能となっている。
【００２７】
２は被写体像（光学像）を観察するためのファインダ接眼部である。３は撮影者がファインダ接眼部２を覗いているか否かを検出するためのスイッチ（検出手段）であり、ＬＥＤ等の発光素子（発光部）とＳＰＣ等の受光素子（受光部）から構成されており、撮影者がファインダ接眼部２を覗いている時に、発光素子から放射された光が撮影者の目または顔等で反射し、所定の範囲の反射光レベルで受光素子により検知されるように構成されている。
【００２８】
このように、撮影者の目等への投光および反射光の受光によって、撮影者がファインダ接眼部２を覗いているか否かを検出することで、簡単な構成で該検出動作を行うことができる。なお、視線入力によってファインダ視野内の焦点検出領域等を変更できる構成を備えたカメラにおいては、この既存の構成を用いて撮影者がファインダ接眼部２を覗いているか否かを検出することができる。
【００２９】
４はレリーズボタンであり、第一段階の押し込みで撮影準備動作（測光動作及び自動焦点調節動作）が行われ、第二段階の押し込みでシャッタレリーズ動作すなわち露光が行われる。５はレリーズボタン４の近傍に配置されるダイヤル（第２の操作部材）であり、各種情報入力を行うために操作される。
【００３０】
６は、カメラ本体１を右手でグリップした時に、比較的親指で操作しやすいカメラ上部背面寄りの位置に配置されたダイヤル（第１の操作部材）であり、スイッチ３の検出状態、すなわち、撮影者がファインダ接眼部２を覗いているか否かに応じて、撮影モードの設定や、露出補正量の設定すなわち露出量を決定することができる。
【００３１】
７は、カメラ本体１の背面であって、ファインダ接眼部２の下方に配置された外部液晶表示器であり、この表示器には図３に示すように各種情報が表示される。図３において、１１〜２０の表示は撮影モードを示し、ファインダ接眼部２から目または顔を離した状態においてダイヤル６を回転させることで、それぞれの表示１１〜２０が点燈し、撮影モードを切り換えることができるようになっている。
【００３２】
この外部液晶表示器７の表示面は、ファインダ接眼部２と同じ側に面している。これにより、撮影者はファインダ接眼部２から目を離した後に、直ちに外部液晶表示器７での表示内容を容易に確認することができる。
【００３３】
８は後述する給送モードを切換えるボタンであり、９は後述するフィルムのＩＳＯをマニュアル設定する時に押すボタンである。なお、本実施例では、フィルムを用いたカメラについて説明しているが、カメラ本体１に装着された交換レンズ内の撮影光学系によって形成された被写体像（光学像）を受光して光電変換によって電気信号に変換する、ＣＣＤやＣＭＯＳセンサ等の撮像素子を用いることもできる。
【００３４】
図２は、本実施例のカメラにおける電気回路構成を示すブロック図であり、この図２において示された電気回路ブロックを有するカメラは、所謂既知のＡＥ機能を有し、かつ既知のＡＦ機能を備えたカメラである。上記のＡＥ機能やＡＦ機能を実現するための機構の基本的な部分は、本出願前に既に知られている方法や機構をそのまま採用できる。
【００３５】
図２に示す本実施例の電気的な回路ブロックは、カメラにおいて行なわれる各部の制御動作をマイクロコンピュータ（以下「マイコン１０１」という、制御手段）によって行う場合の必要な構成を説明している。
【００３６】
１０２は、交換レンズ内に設けられたレンズ制御回路であり、交換レンズ内に設けられた不図示の撮影レンズや絞りの駆動をマイコン１０１からの指令に基づいて制御する。すなわち、レンズ制御回路１０２は、マイコン１０１からのＬＣＯＭ信号を受けている間、ＤＢＵＳを介してシリアル通信を行ない、その通信内容により、交換レンズ内に設けられた不図示のモータを制御して撮影レンズの移動制御や絞り制御を行う。また、マイコン１０１は、レンズ制御回路１０２との通信によって、レンズの焦点距離情報や、距離情報、その他の各種補正情報などを受け取る。
【００３７】
１０３は液晶表示回路であり、シャッタスピード・絞り制御値など各種撮影情報を表示するための回路であり、マイコン１０１からのＤＰＣＯＭ信号を受けている間、ＤＢＵＳを介しシリアル通信を行ない、この通信内容に応じて外部液晶表示器７やファインダ内液晶表示器１０において特定の表示を行わせる。ここで、ファインダ内液晶表示器１０での表示内容は、ファインダ接眼部２を介して観察することができる。
【００３８】
１０４はスイッチセンス回路であり、液晶表示回路１０３と共に、常に電源が供給されており、カメラ本体１のレリーズボタン４のストロークと連動しているスイッチＳＷ１、ＳＷ２や、給送モードを切り換えるボタン８（スイッチＳＷＤＲ）、ＩＳＯ設定を切り換えるボタン９（スイッチＳＷＩＳＯ）、その他のカメラの撮影モードを決める不図示のスイッチ等での操作状態（オン／オフ状態）を常に読み取るようになっている。
【００３９】
ここで、上述したスイッチのオン／オフ状態が切り換わると、スイッチセンス回路１０４は、不図示のＤＣ／ＤＣコンバータに信号を送ってこのＤＣ／ＤＣコンバータを起動させる。このＤＣ／ＤＣコンバータは、マイコン１０１を始めとするその他の回路に電源を供給する。
【００４０】
スイッチセンス回路４は、マイコン１０１からのＳＷＣＯＭ信号を受けている間、ＤＢＵＳを介しシリアル通信を行ない、マイコン１０１よりＤＣ／ＤＣコンバータの命令を受け取るとＤＣ／ＤＣコンバータの出力をオフさせる。また、マイコン１０１は、スイッチセンス回路４から各スイッチ情報を受け取る。
【００４１】
１０５はメイン電子ダイヤルカウンタで、電子ダイヤル５の回転状態を検出するための回路であり、不図示の接片と回転方向に対して互いにずれたパターンとで構成された検出回路の出力によって、ＳＷＤＬＭ１とＳＷＤＬＭ２の２つの信号の回転方向と回転量を検出する。ＳＷＤＬＭ１とＳＷＤＬＭ２の２つの信号によりダイヤルカウンタ１０５を介してマイコン１０１の入力ポートに電子ダイヤル５の回転情報が入力され、マイコン１０１は、入力された情報値の変更を行う。
【００４２】
１０６はサブ電子ダイヤルカウンタで、電子ダイヤル５と同様に電子ダイヤル６の回転状態を検出するための回路であり、不図示の接片と回転方向に対して互いにずれたパターンとで構成された検出回路の出力によって、ＳＷＤＬＳ１とＳＷＤＬＳ２の２つの信号の回転方向と回転量を検出する。ＳＷＤＬＳ１とＳＷＤＬＳ２の２つの信号によりダイヤルカウンタ１０６を介してマイコン１０１の入力ポートに電子ダイヤル６の回転情報が入力され、マイコン１０１は、入力された情報値の変更を行う。
【００４３】
１０７は測光回路であり、自然光下での被写体の輝度を測光し、この測光結果をマイコン１０１に送る。１０８はシャッタ制御回路であり、マイコン１０１からの制御信号に従ってカメラ本体１内に設けられた不図示のシャッタユニットの動作を制御する。
【００４４】
１０９は駆動回路であり、マイコン１０１からの制御信号に基づいて不図示のモーターを制御することで、カメラ本体１内に設けられた不図示のフィルム送り機構や、光学像をファインダ接眼部２に導くためのミラーやシャッタチャージ等の駆動制御を行う。
【００４５】
１１０は接眼検知回路であり、前述のように撮影者がファインダ接眼部２を覗いているか否かを検出するためのスイッチ３での駆動を制御する。すなわち、スイッチ３を構成するＬＥＤ発光素子の発光制御や、ＳＰＣの受光素子の受光レベルの結果をマイコン１０１に入力する。マイコン１０１は、接眼検知回路１１０からの出力に基づいて、撮影者がファインダ接眼部２を覗いているか否かを判別する。
【００４６】
図３は、外部液晶表示器７の表示内容をすべて点燈した状態を示す。
【００４７】
１１はマニュアル露出を表す表示で、このマニュアルモードにセットしてダイヤル５を回すことによりシャッタスピードを変更することができる。絞り値の設定は、ファインダ接眼部２を覗いた状態でダイヤル６を回すことにより変更することができる。
【００４８】
１２は深度優先ＡＥに関する表示で、このモードが設定された場合には、オートフォーカス情報から被写界深度をコントロールするように絞り値をカメラ側が決定し、その絞り値に対して適正露出になるようにシャッタスピードが決定される。絞り値が決まった後にダイヤル５を回すと、等しいＥｖ線図でプログラムシフトができる。
【００４９】
１３は絞り優先ＡＥに関する表示で、このモードに設定してダイヤル５を回すと絞り値が設定できる。この場合、設定した絞り値に対して適正露出となるようにシャッタスピードが自動的に決定される。１４はシャッタ優先ＡＥに関する表示で、このモードに設定してダイヤル５を回すとシャッタスピードが設定できる。この場合、設定したシャッタスピードに対して適正露出となるように絞り値が自動的に決定される。
【００５０】
１５はプログラム露出モードに関する表示で、絞りとシャッタスピードの組み合わせをカメラが決めるモードである。ダイヤル５の操作でプログラムシフトが可能である。１６は全自動モードに関する表示で、シャッタと絞りの組み合わせ以外に給送モードは一コマ撮り、ＡＦモードはワンショットモードに設定される。このモードは、レリーズボタン以外の操作部材を操作しても、この操作を受付けないようになっており一般的な初心者に最適なモードである。
【００５１】
１７はポートレート専用のプログラムに関する表示であり、このモードでは背景をボカして人物を浮き立たせるように絞りを開放気味に設定してある。１８は風景写真用プログラムに関する表示で、このモードでは、表示１５のプログラム露出モードに対してある程度の被写界深度を得るために絞りがＦ５．６よりも開放側に変化しないようにリミッターがかけられている。
【００５２】
１９は接写用プログラムに関する表示で、このモードでは、絞り値をＦ５．６に固定してあり、シャッタスピードがカメラの持っている最高速のシャッタスピード以上になった場合には、絞り値がＦ５．６より小絞り側へ変化するになっている。２０はスポーツ写真用のプログラムに関する表示で、このモードでは、シャッタスピードが高速側へ設定されるプログラムで、動きの速い被写体に対する静止画像を得ることができるようになっている。また、給送モードは連続撮影に、ＡＦモードはサポートモードにセットされている。
【００５３】
２１はシャッタスピード値を表す４ケの７セグメントからなる表示で、後述のＩＳＯ感度値の表示にも兼用して使用される。２２は絞り値を表す２ケの７セグメントからなる表示である。
【００５４】
２３はＩＳＯ感度を表示するときに点燈するマークでＤｘコード付のパトローネを使用時にはオートローディングが終了後一定時間だけ点燈する。このとき同時に４ケの７セグメント表示２１を使ってＩＳＯ感度値を表示する。また、Ｄｘコードのないパトローネを装填した場合には、マーク２３が常に点滅表示することで撮影者に警告を行うようになっている。ＩＳＯ感度をマニュアル設定する場合には、ボタン９を押してマーク２３を点燈状態にしてから、ダイヤル５を回転させて、４ケの７セグメント表示２１を確認しながら所望の数値にあわせる。
【００５５】
２４は手動でピントを合わせるマニュアルＡＦモードの表示であり、交換レンズに設けられたスイッチの切り換えによりマニュアルフォーカスモードが設定された時に点燈する。２５はパトローネをカメラ本体１に装填したときに点燈するパトローネマーク表示である。
【００５６】
２６は９個のドットから成り、フィルム給送中に左から順次点燈するフィルム給送確認マークであり、又この９個のドット表示は露出補正のためのマークも兼用している。撮影モード内の深度優先ＡＥ（表示１２）〜プログラム露出モード（表示１５）の設定時において、ファインダ接眼部２を覗いた状態でダイヤル６を回すことにより−２Ｅｖ〜＋２Ｅｖまで０．５Ｅｖおきに露出値の設定が可能になり、設定された位置のドットが点燈する。マニュアル露出モード（表示１１）においては、シャッタボタン４を一段階押すことによって行われた測光動作での結果をドット表示する。
【００５７】
２７はバッテリーマークであり、３段階の点燈表示形態の切り換えによって電池容量表示として使用される。
【００５８】
２８〜３０はフィルム給送モードの表示で、ボタン８を押すごとに順次切替り点燈する。２８は1コマ撮影のモードでレリーズボタン４を押して撮影すると、レリーズボタン４を押し続けていても１コマ巻き上げた状態で停止する。一度レリーズボタン４から指を離して再度押すと次の撮影が行われる。
【００５９】
２９は連続撮影のモードを示す表示で、レリーズボタン４を押し続けている間連続的に撮影が行われる。３０はセルフタイマーモード及びワイヤレスリモコン受付状態の表示で、この状態でレリーズボタン４を押すと所定時間経過後にシャッタレリーズが行われ、また不図示のワイヤレスリモコンからの信号を受信した場合もシャッタレリーズが行われる。
【００６０】
３１はフィルム枚数計で次に撮影されるフィルムの数が表示されていて撮影が終了してフィルムを巻き上げると順算式に加算していく。
【００６１】
図４は、ファインダ接眼部２を覗いたときに、撮影者によって確認されるファインダ内の液晶表示器１０の表示内容をすべて点燈した状態を示す。
【００６２】
液晶表示器１０での表示のうち表示３３は、液晶表示器７の表示２１と同様にシャッタスピードを４ケの７セグメントで表示するためのものであり、表示３４も表示部２６と同様に２ケの７セグメントで絞り値を表示するためのものである。
【００６３】
また、ドット表示３５も液晶表示器７の表示部２６と同様に露出補正のためのマークであり、撮影モード内の深度優先ＡＥ（表示１２）〜プログラム露出モード（表示１５）において、ファインダ接眼部２を覗いた状態でダイヤル６を回すことにより−２Ｅｖ〜＋２Ｅｖまで０．５Ｅｖおきに露出値の設定が可能になり、設定された位置のドットが点燈する。マニュアル露出モード（表示１１）においては、シャッタボタン４を一段階押すことによって行われた測光動作での結果をドット表示する。表示３６（合焦マーク）は、撮影光学系が合焦状態となったときに点灯する。
【００６４】
次に、本実施例のカメラにおいて、撮影に関する設定を変更する際の動作（マイコン１０１の動作）について図７に示すフローチャートを用いて説明する。
【００６５】
ステップＳ２０１において、マイコン１０１は、接眼検知回路１１１からの出力に基づいて、撮影者がファインダ接眼部２を覗いているか否かを判別する。ここで、ファインダ接眼部２を覗いていないと判断したときには、ステップＳ２０３に進み、覗いていると判断したときには、ステップＳ２０２に進む。
【００６６】
ステップＳ２０３では、ダイヤルカウンタ１０６の出力に基づいてダイヤル６が操作されているか否かを判別する。ここで、ダイヤル６が操作されていなければ本処理を終了し、操作されていればステップＳ２０５に進む。
【００６７】
ステップＳ２０５では、ダイヤル６の操作に応じて撮影モードの設定を変更する。このとき、撮影者は、外部液晶表示器７での表示に内容を見ながらダイヤル６を操作することになる。例えば、ダイヤル６を操作することによって、撮影モードをシャッタ優先ＡＥモードに設定し、ダイヤル５を操作することによって所望のシャッタ速度、ここでは１／１２５に設定することができる。このときの外部液晶表示器７での表示状態を図６（Ａ）に示し、ファインダ内液晶表示器１０での表示状態を図５（Ａ）に示す。シャッタ速度を１／１２５に設定した時点では、絞り値が８．０となっている。
【００６８】
一方、ステップＳ２０２では、ダイヤルカウンタ１０６の出力に基づいて、ダイヤル６が操作されているか否かを判別する。ここで、ダイヤル６が操作されていなければ本処理を終了し、ダイヤル６が操作されていればステップＳ２０４に進む。
【００６９】
ステップＳ２０４では、ダイヤル６の操作に応じて撮影モードに応じた設定対象の値を変更する。例えば、撮影者がファインダ接眼部２を覗いてファインダ内液晶表示器１０を見ながらダイヤル６を一方向に回転させると、露出値がマイナス１段シフトして、ファインダ内液晶表示器１０での表示内容が図５（Ａ）に示す状態から図５（Ｂ）に示す状態に切り換わる。このときの外部液晶表示器７での表示状態は、図６（Ｂ）に示す状態となっている。
【００７０】
本実施例のカメラによれば、撮影者がファインダ接眼部２を覗いているか否かに応じて、ダイヤル６の操作による設定内容を変更している。これにより、１つの部材（ダイヤル６）を用いて複数種類の設定を行うことができ、設定に応じた部材をカメラ本体１に設ける場合に比べて、部品点数を削減でき、カメラの小型化および低コスト化を図ることができる。
【００７１】
ここで、ダイヤル５の操作によって撮影モードをマニュアルモードに設定したときに、ダイヤル６の操作によってシャッタ速度および絞り値のうち一方を変更でき、被写体観察が行われているときに、ダイヤル５の操作によって他方を変更することができる。
【００７２】
また、ダイヤル５の操作によって撮影モードを、シャッタ速度を優先して決定する第１の自動露出モード（シャッタ優先モード）に設定したときに、ダイヤル６の操作によってシャッタ速度を変更でき、被写体観察が行われているときに、ダイヤル５の操作によって露出補正量を変更することができる。さらに、ダイヤル５の操作によって撮影モードを、絞り値を優先して決定する第２の自動露出モード（絞り優先モード）に設定したときに、ダイヤル６の操作によって絞り値を変更でき、被写体観察が行われているときに、ダイヤル５の操作によって露出補正量を変更することができる。
【００７３】
また、ダイヤル５の操作によって撮影モードを、シャッタ速度および絞り値の組み合わせを自動的に設定する第３の自動露出モード（プログラムＡＥモード）に設定したときに、ダイヤル６の操作によってシャッタ速度および絞り値の組み合わせを変更でき、被写体観察が行われているときに、ダイヤル５の操作によって露出補正量を変更することができる。
【００７４】
上述したようにダイヤル５の操作によって、撮影モードを変更させたり、露出補正量を変更したりすることで、例えば、右手人差し指をレリーズボタン４上においたまま、右手親指等でダイヤル５を操作することができ、カメラを保持する姿勢を崩さずに露出補正量を変更できる。したがって、撮影するときの姿勢にカメラを保持し直してから撮影を行う必要がなくなるため、シャッタチャンスを逃すことはなく、カメラの使い勝手を向上させることができる。
【図面の簡単な説明】
【００７５】
【図１】本発明の実施例１であるカメラの外観斜視図。
【図２】実施例１のカメラにおける回路構成を示すブロック図。
【図３】外部液晶表示器の全表示状態を表す図。
【図４】ファインダ内液晶表示器の全表示状態を表す図。
【図５】ファインダ内液晶表示器の一例の表示状態を表す図。
【図６】外部液晶表示器の一例の表示状態を表す図。
【図７】実施例１におけるダイヤルの操作に応じた処理動作を示すフローチャート。
【符号の説明】
【００７６】
１・・・カメラ本体  、２・・・ファインダ接眼部  、３・・・スイッチ
４・・・レリーズボタン  、５・・・ダイヤル  、６・・・ダイヤル
７・１０・・・液晶表示素器  、８・９・・・ボタン
【図１】
2005173382.tif 000003
【図２】
2005173382.tif 000004
【図３】
2005173382.tif 000005
【図４】
2005173382.tif 000006
【図５】
2005173382.tif 000007
【図６】
2005173382.tif 000008
【図７】
2005173382.tif 000009